(57)【特許請求の範囲】
【請求項１】
光を出射する発光領域が設けられた面発光光源と、
前記面発光光源の光出射側に設けられ、前記面発光光源に電気的に接続された配線基板と、を備え、
前記配線基板は、前記面発光光源の光出射側から見て、前記発光領域と重なる領域に開口部を有し、前記面発光光源の光出射側から見て、前記発光領域の一部分を遮蔽する、面発光モジュール。
【請求項２】
光を出射する発光領域が設けられ、面状に配置された複数の面発光光源と、
複数の前記面発光光源の光出射側に設けられ、複数の前記面発光光源に電気的に接続された配線基板と、を備え、
前記配線基板は、複数の前記面発光光源の光出射側から見て、複数の前記面発光光源の各々が有する前記発光領域と重なる領域ごとに設けられた開口部を有し、複数の前記面発光光源の光出射側から見て、複数の前記面発光光源の各々が有する前記発光領域の一部分を遮蔽する、面発光モジュール。
【請求項３】
前記面発光光源と前記配線基板とが可撓性を有する、請求項１または請求項２に記載の面発光モジュール。
【請求項４】
前記面発光光源は、前記配線基板に密着して保持される、請求項１から請求項３のいずれか１項に記載の面発光モジュール。
【請求項５】
前記配線基板の熱伝導率が、前記面発光光源の熱伝導率よりも高い、請求項１から請求項４のいずれか１項に記載の面発光モジュール。
【請求項６】
前記面発光光源は、基板と、前記基板上において第１電極、有機発光層、および第２電極がこの順で積層されてなる積層体とを含み、前記基板側とは反対側から光を出射するトップエミッション型の有機ＥＬ素子であり、
前記配線基板に電気的に接続される電極部が、前記配線基板に対向する前記基板の主面上に設けられている、請求項１から請求項５のいずれか１項に記載の面発光モジュール。
【請求項７】
前記配線基板に対して前記面発光光源が位置する側とは反対側に設けられ、前記配線基板の前記開口部を覆うように設けられた意匠シートをさらに備える、請求項１から請求項６のいずれか１項に記載の面発光モジュール。
【請求項８】
前記配線基板は、前記発光領域と重なる領域に複数の開口部を有する、請求項１から請求項７のいずれか１項に記載の面発光モジュール。
【発明の詳細な説明】
【技術分野】
【０００１】
本発明は、面発光光源と配線基板とを備える面発光モジュールに関する。
【背景技術】
【０００２】
近年、有機ＥＬ（Electro  Luminescence）素子等の面発光光源を用いた発光効率の高い面発光モジュールが注目を集めている。このような面発光モジュールは、特開２０１１−２２２２２３号公報（特許文献１）に示すように、発光部を有する有機ＥＬ素子と、有機ＥＬ素子の光出射側と反対側に設けられ、当該発光部に電力を供給するための配線基板とを備える。
【先行技術文献】
【特許文献】
【０００３】
【特許文献１】特開２０１１−２２２２２３号公報
【発明の概要】
【発明が解決しようとする課題】
【０００４】
面発光モジュールは、主として照明装置として用いられる。照明装置から照射される光によって当該照明装置が用いられる建屋や物に対する印象が変化するため、面発光モジュールにおいては、意匠表現できることが要求される。【０００５】
意匠表現を行なう手段としては、面発光光源の表面に塗装を施す方法、有機ＥＬ素子を任意の形状で形成する方法等が挙げられる。しかしながら、これらの方法を採用した場合には、面発光光源の製造工程が複雑になる上、塗装を施すための印刷機や任意の形状にパターニングするための専用の蒸着マスク等が必要となる。この結果、製造コストが増加してしまう。【０００６】
そこで、より簡便に意匠表現を行なう手段として、面発光光源の表面を遮光部材で覆う方法が考えられる。図１０は、意匠表現を行なう際に用いられる従来の面発光モジュールを示す概略断面図である。図１０に示すように、特許文献１に示すような従来の面発光モジュールを利用して、簡便に意匠表現する場合には、その構成として、面発光モジュール１００は、面発光光源１５０、配線基板１３０および遮光部材１４０を備える。【０００７】
面発光光源１５０は、基板１１０と、基板１１０上に設けられ、図中上方にむけて光を出射する発光部１２０とを含む。配線基板１３０は、面発光光源１５０の光出射側と反対側に設けられ、外部電源から供給される電力を配線１６０を介して発光部１２０に供給する。遮光部材１４０は、面発光光源１５０の光出射側に設けられ、面発光光源１５０からの光を透過させるための開口部１４１を含む。開口部１４１は、任意の意匠を表現した形状を有する。このような構成を有することにより、任意の意匠の形状が視認されるように面発光モジュール１００から光が出射される。【０００８】
さらに、面発光モジュールは、可撓性を有することにより注目されているところ、デザイン性の観点、運搬、設置等の利便性の観点から薄型化（低背化）も要求される。【０００９】
しかしながら、上述した構成を有する面発光モジュール１００にあっては、意匠表現をする際に、別途遮光部材が必要となる。このため、面発光モジュールの厚さが増加してしまい、低背化が困難となる。【００１０】
本発明は、上記のような問題に鑑みてなされたものであり、本発明の目的は、簡易な構成で低背化を実現しつつ、意匠表現可能な面発光モジュールを提供することにある。
【課題を解決するための手段】
【００１１】
本発明の第１の局面に基づく面発光モジュールは、光を出射する発光領域が設けられた面発光光源と、上記面発光光源の光出射側に設けられ、上記面発光光源に電気的に接続された配線基板と、を備え、上記配線基板は、上記面発光光源の光出射側から見て、上記発光領域と重なる領域に開口部を有し、上記面発光光源の光出射側から見て、上記発光領域の一部分を遮蔽する。
本発明の第２の局面に基づく面発光ジュールは、光を出射する発光領域が設けられ、面状に配置された複数の面発光光源と、複数の上記面発光光源の光出射側に設けられ、複数の上記面発光光源に電気的に接続された配線基板と、を備え、上記配線基板は、複数の上記面発光光源の光出射側から見て、複数の上記面発光光源の各々が有する上記発光領域と重なる領域ごとに設けられた開口部を有し、複数の上記面発光光源の光出射側から見て、複数の上記面発光光源の各々が有する上記発光領域の一部分を遮蔽する。
【発明の効果】
【００１２】
本発明によれば、簡易な構成で低背化を実現しつつ、意匠表現可能な面発光モジュールを提供することができる。
【図面の簡単な説明】
【００１３】
【図１】本発明の実施の形態１に係る面発光モジュールに具備される面発光光源を示す概略平面図である。
【図２】図１に示すＩＩ−ＩＩ線に沿った概略断面図である。
【図３】本発明の実施の形態１に係る面発光モジュールを示す概略平面図である。
【図４】図３に示すＩＶ−ＩＶ線に沿った概略断面図である。
【図５】本発明の実施の形態２に係る面発光モジュールを示す概略平面図である。
【図６】図５に示すＶＩ−ＶＩ線に沿った概略断面図である。
【図７】本発明の実施の形態３に係る面発光モジュールを示す概略平面図である。
【図８】本発明の実施の形態４に係る面発光モジュールを示す概略断面図である。
【図９】配線基板に設けられる開口部のその他の形状（Ａ）〜（Ｃ）を示す概略平面図である。
【図１０】意匠表現を行なう際に用いられる従来の発光モジュールを示す概略断面図である。
【発明を実施するための形態】
【００１４】
以下、本発明の実施の形態について、図を参照して詳細に説明する。なお、以下に示す実施の形態においては、同一のまたは共通する部分について図中同一の符号を付し、その説明は繰り返さない。
【００１５】
（実施の形態１）
（面発光光源）
図１は、本実施の形態に係る面発光モジュールに具備される面発光光源を示す概略平面図である。図２は、図１に示すＩＩ−ＩＩ線に沿った概略断面図である。図１および図２を参照して、本実施の形態に係る面発光光源１０について説明する。
【００１６】
本実施の形態に係る面発光光源１０は、有機ＥＬ素子から構成される。有機ＥＬ素子は、ボトムエミッション型の構造を有する。面発光光源１０は、全体として曲げ可能となるように可撓性を有することが好ましい。
【００１７】
図１および図２を参照して、面発光光源１０は、透明基板１１（カバー層）、陽極（アノード）１４、有機発光層１５、陰極（カソード）１６、封止部材１７および絶縁層１８を含む。
【００１８】
透明基板１１は、面発光光源１０の発光面１２（表面）を形成する。陽極１４、有機発光層１５および陰極１６は、透明基板１１の裏面側の主面１３上に順次積層され、積層体２を構成する。封止部材１７は、面発光光源１０の背面１９を形成している。
【００１９】
透明基板１１を構成する部材としては、可撓性有する透明部材が用いられる。材料としては、たとえば、ポリエチレンテレフタレート（ＰＥＴ）またはポリカーボネイト（ＰＣ）等の光透過性のフィルム基板が用いられる。透明基板１１に、各種ガラス基板を用いてもよい。
【００２０】
光透過性のフィルム基板としては、他にポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００２１】
陽極１４は、透明性を有する導電膜である。陽極１４を形成するためには、スパッタリング法等によって、ＩＴＯ（Indium  Tin  Oxide：インジウム錫酸化物）等が透明基板１１上に成膜される。陽極１４に用いられる他の材料としては、ポリエチレンジオキシチオフェン（ＰＥＤＯＴ）が用いられる。
【００２２】
有機発光層１５（発光部）は、電力が供給されることによって光（可視光）を生成することができる。有機発光層１５は、単層の発光層から構成されていてもよく、正孔輸送層、発光層、正孔阻止層、および電子輸送層などが順次積層されることによって構成されていてもよい。
【００２３】
陰極１６は、たとえばアルミニウム（ＡＬ）等の金属膜によって構成される。陰極１６は、真空蒸着法等によって有機発光層１５を覆うように形成される。陰極１６を所定の形状にパターニングするために、真空蒸着の際にはマスクが用いられるとよい。陰極１６の他の材料としては、フッ化リチウム（ＬｉＦ）、ＡｌとＣａとの積層、ＡｌとＬｉＦとの積層、および、ＡｌとＢａとの積層等が用いられる。
【００２４】
陰極１６と陽極１４とが短絡しないように、陰極１６と陽極１４との間に絶縁層１８が設けられる。絶縁層１８は、たとえばスパッタリング法を用いてＳｉＯ２などが成膜された後、フォトリソグラフィ法等を用いて陽極１４と陰極１６とを互いに絶縁する箇所を覆うように所望のパターンに形成される。
【００２５】
封止部材１７は、絶縁性を有する樹脂またはガラス基板などから構成される。封止部材１７は、有機発光層１５を水分等から保護するために形成される。封止部材１７は、陽極１４、有機発光層１５、および陰極１６（面発光光源１０の内部に設けられる部材）の略全体を透明基板１１上に封止する。陽極１４の一部は、電気的な接続のために、封止部材１７から露出している。
【００２６】
封止部材１７には、ＰＥＴ、ＰＥＮ、ＰＳ、ＰＥＳ、ポリイミド等のフィルムに、ＳｉＯ２、ＡＬ２Ｏ３、ＳｉＮｘ等の無機薄膜と柔軟性のあるアクリル樹脂薄膜などを層状に複数層重ね合わせることでガスバリア性を備えたものが用いられる。電極部２１および電極部２２には、さらに金、銀、銅などを積層してもよい。
【００２７】
陽極１４の封止部材１７から露出している部分（図２左側）は、電極部２１（陽極用）を構成する。電極部２１と陽極１４とは互いに同じ材料で構成される。電極部２１は、面発光光源１０の一方の側面の外周に位置する。陰極１６の封止部材１７から露出している（図２右側の）部分は、電極部２２（陰極用）を構成する。電極部２２と陰極１６とは互いに同じ材料で構成される。電極部２２も、面発光光源１０の他方の外周に位置する。
【００２８】
電極部２１および電極部２２は、有機発光層１５を挟んで相互に反対側に位置している。電極部２１および電極部２２には、はんだ付け（銀ペースト）等を用いて配線２３（図４参照）が取り付けられる。
【００２９】
以上のように構成される面発光光源１０の有機発光層１５には、外部の電源装置から、後述する配線基板３０（図４参照）に設けられた配線パターン、配線２３、電極部２１、２２、陽極１４および陰極１６を通して電力が供給される。有機発光層１５で生成された光は、陽極１４および透明基板１１を通して、発光面１２（表面）から外部に取り出される。
【００３０】
面発光光源１０において、有機発光層１５から光が発光することから、有機発光層１５に対応する位置が発光領域Ｒ１を構成し、有機発光層１５を取り囲む外部領域が非発光領域Ｒ２を構成する。
【００３１】
（面発光モジュール）
図３は、本実施の形態に係る面発光モジュールの概略平面図である。図４は、図３に示すＩＶ−ＩＶ線に沿った概略断面図である。図３および図４を参照して、本実施の形態に係る面発光モジュール１について説明する。
【００３２】
図３および図４に示すように、本実施の形態に係る面発光モジュール１は、面発光光源１０と、配線基板３０とを備える。面発光光源１０は、上述した構成を有し、図４中矢印に示すように配線基板３０側に向けて光を出射する発光領域Ｒ１を含む。
【００３３】
配線基板３０は、配線２３を介して面発光光源１０に電気的に接続される。配線基板３０は、開口部３１を有し、面発光光源１０の外縁部を覆うように（すなわち面発光光源１０の一部分を遮蔽するように）、面発光光源１０の光出射側（発光面１２）側に設けられている。配線基板３０は、主にガラスエポキシ、ポリイミドなどの樹脂部材を表面に用いて、内部に通電用の配線パターンが引き回される構成をとる。また、当該配線パターンは、後述する開口部３１には引き回されないように設けられている。なお、配線基板３０の樹脂部材には、遮光性または減光性を高めるために黒色等の各色の顔料等が混合されていてもよい。
【００３４】
配線基板３０の熱伝導率は、面発光光源１０の熱伝導率よりも高くなることが好ましい。そうすることにより、面発光光源１０にて発生する熱を配線基板３０を介して放熱することができる。このため、発光領域Ｒ１における局所的な発熱を抑制することができ、これにより、温度に起因する面発光光源の輝度ムラを抑制したり、部材の劣化を抑制したりできる。
【００３５】
放熱性を高めるために、面発光光源１０は、配線基板３０に密着して保持されることが好ましい。面発光光源１０を配線基板３０に密着して保持する際には、接着剤等を用いて面発光光源１０の発光面１２に配線基板３０を固定してもよいし、面発光光源１０の発光面１２に配線基板３０を載置した状態でこれらをラミネート等の封止部材にて封止することにより固定してもよい。
【００３６】
配線基板３０は、透明基板１１の主面（発光面１２）の法線方向から見た場合に、面発光光源１０の発光領域Ｒ１と重なる領域に開口部３１を有し、開口部３１と重なる領域以外の発光領域Ｒ１を遮蔽する。開口部３１は、配線基板３０の主表面の法線方向から見た場合に、たとえば矩形形状を有する。開口部３１は、面発光光源１０の発光面の法線方向から見た場合に、発光領域Ｒ１と重なる範囲内に収まるように設けられることが好ましい。
【００３７】
面発光光源１０の出射側に配線基板３０を設けることにより、面発光光源１０から出射された光の一部は、配線基板３０によって、遮光または減光される。このため、面発光光源１０から出射された光のうち、所望の形状を有する開口部３１を透過する光が、強調されて視認される。これにより、意匠表現が可能となる。また、配線基板３０が遮光部材または減光部材としての機能を備えることにより、別途遮光部材または減光部材を設ける必要がなくなるため、簡易な構成で面発光モジュール１を低背化することができる。
【００３８】
さらに、面発光光源１０および配線基板３０が可撓性を有することにより、たとえば曲面へ面発光モジュール１を設置したり、面発光モジュール１をロール形状等の状態で運搬したりすることができる。これにより、面発光モジュール１の利便性が向上する。面発光光源１０および配線基板３０が可撓性を有する場合でも、同様の簡易な構成をとることができる。
【００３９】
以上のように、本実施の形態に係る面発光モジュール１は、簡易な構成で面発光モジュールの低背化を実現しつつ、所望の意匠表現をすることができる。
【００４０】
（実施の形態２）
（面発光モジュール）
図５は、本実施の形態に係る面発光モジュールを示す概略平面図である。図６は、図５に示すＶＩ−ＶＩ線に沿った概略断面図である。図５および図６を参照して、本実施の形態に係る面発光モジュール１Ａについて説明する。
【００４１】
図５および図６に示すように、本実施の形態に係る面発光モジュール１Ａは、実施の形態１に係る面発光モジュール１と比較した場合に、複数の面発光光源１０Ａ，１０Ｂを備える点、配線基板３０の構成、および、意匠シート４０をさらに備える点が相違する。
【００４２】
複数の面発光光源１０Ａ，１０Ｂの構成は、実施の形態１に係る面発光光源１０と同様の構成を有する。複数の面発光光源１０Ａ，１０Ｂは、直線状に配置されている。複数の面発光光源１０Ａ，１０Ｂは、単一の配線基板３０上に設けられている。配線基板３０は、複数の面発光光源１０Ａ，１０Ｂの光出射側に位置し、それぞれの発光領域Ｒ１と重なる領域に開口部３１Ａ，３１Ｂを有し、開口部３１Ａ，３１Ｂと重ならない発光領域Ｒ１を覆うように設けられている。
【００４３】
意匠シート４０は、ポリエチレン樹脂、アクリル樹脂、塩化ビニル樹脂等の透光性を有する樹脂部材から成るシート部材や紙等の印刷媒体に文字や図柄等の任意の意匠が印刷されたものである。意匠シート４０は、配線基板３０に対して面発光光源１０Ａ，１０Ｂが位置する位置する側とは反対側に設けられている。また、意匠シート４０は、配線基板３０の開口部３１Ａ，３１Ｂを覆うように設けられている。なお、意匠シート４０には、面発光光源１０の発光面１２の法線方向から見た場合に、開口部３１Ａ，３１Ｂと重なる部分に孔部が設けられていてもよい。
【００４４】
このような構成を有することにより、意匠シート４０に印刷された意匠を強調して表現することができ、意匠性を高めることができる。また、配線基板３０の開口部３１Ａ，３１Ｂによって面発光光源１０からの光が絞られるため、滲まずに輪郭のはっきりした光で意匠表現を行なうことができる。さらに、複数の面発光光源１０Ａ，１０Ｂを備えることにより、意匠表現できる範囲を拡張することができる。
【００４５】
以上のように本実施の形態にあっては、面発光光源１０Ａ，１０Ｂの光出射側に配線基板３０を設けることにより、意匠表現が可能となるとともに、簡易な構成で低背化を実現することができる。また、意匠シート４０を設けることにより、意匠性をさらに高めることができる。
【００４６】
なお、本実施の形態においては、複数の面発光モジュールが２つ面発光光源１０Ａ，１０Ｂによって構成される場合を例示して説明したが、これに限定されず、３つ以上の面発光光源によって構成されてもよい。この場合には、複数の面発光光源は、行列状に配置されることが好ましい。
【００４７】
また、本実施の形態においては、意匠シート４０と配線基板３０と面発光光源１０とが一体化されている構成が好ましい。この場合には、意匠シート４０と配線基板３０と面発光光源とが一体もののモジュールとして取り扱うことができ、運搬・施工がより一層簡単になる。
【００４８】
（実施の形態３）
（面発光モジュール）
図７は、本実施の形態に係る面発光モジュールを示す概略平面図である。図７を参照して、本実施の形態に係る面発光モジュール１Ｂについて説明する。
【００４９】
図７に示すように、本実施の形態に係る面発光モジュール１Ｂは、実施の形態２に係る面発光モジュール１Ａと比較した場合に、複数の面発光光源１０Ａ，１０Ｂに設けられた発光領域Ｒ１の各々と重なる領域に複数の開口部３１が設けられている点において相違する。複数の開口部３１は、意匠シート４０に印刷された意匠に応じて設けられる。
【００５０】
このように構成することにより、本実施の形態に係る面発光モジュール１Ｂは、実施の形態２に係る面発光モジュール１Ａとほぼ同様の効果を得ることができる。また、複数の開口部３１の数や配置の組合せにより、意匠表現できる範囲を拡張することができる。
【００５１】
（実施の形態４）
（面発光光源および面発光モジュール）
図８は、本実施の形態に係る面発光モジュールを示す概略断面図である。図８を参照して、本実施の形態に係る面発光モジュール１Ｃについて説明する。
【００５２】
図８に示すように、本実施の形態に係る面発光モジュール１Ｃは、実施の形態１に係る面発光モジュール１と比較した場合に、面発光光源１０Ｃの構成が相違する。その他の構成については、ほぼ同様の構成である。
【００５３】
面発光光源１０Ｃは、トップエミッション型の有機ＥＬ素子によって構成されている。面発光光源１０Ｃは、基板１１Ｃと、基板１１Ｃ上において第１電極としての陽極１４Ｃ、有機発光層１５、および第２電極としての陰極１６Ｃがこの順で積層されてなる積層体２とを含み、基板１１ｃ側とは反対側（陰極１６側）から光を出射する。これに伴い、配線基板３０は、面発光光源１０Ｃの出射側であり、かつ、基板１１Ｃとの間に積層体２が位置するように配置される。
【００５４】
面発光光源１０Ｃは、さらに封止部材１７を含む。封止部材１７は、陽極１４Ｃ、有機発光層１５、および陰極１６Ｃの略全体を透明基板１１上に封止する。封止部材１７は、面発光光源１０の発光面１９Ｃを形成している。トップエミッション型の有機ＥＬ素子においては、封止部材１７は光透過性を有することが好ましい。
【００５５】
基板１１Ｃを構成する部材としては、透光性を有していてもよいし、非透光性を有していてもよい。基板１１Ｃとしては、ガラス基板、セラミック基板、合成樹脂によって形成されるフィルム基板、金属製薄板などが用いられる。積層体２と反対側に位置する基板１１Ｃの主面は、面発光光源１０の背面１２Ｃを構成する。
【００５６】
陽極１４Ｃは、たとえばアルミニウム等の金属膜によって構成される。陰極１６Ｃ側から光を確実に出射させるために、光反射性を有することが好ましい。陰極１６Ｃは、たとえばＩＴＯ等の導電性を有する透明導電膜によって構成される。有機発光層１５は、実施の形態１とほぼ同様の構成を有する。
【００５７】
陽極１４Ｃの封止部材１７から露出している部分は、電極部２１（陽極用）を構成し、陰極１６Ｃの封止部材１７から露出している部分は、電極部２２（陰極用）を構成する。これら電極部２１，２２は、配線基板３０に対向する基板の主面１３上に設けられ、配線２３を介して配線基板３０に電気的に接続される。
【００５８】
このような構成を有することにより、任意の意匠形状を有する開口部３１が設けられた配線基板３０が面発光光源１０Ｃの出射側に設けられることなる。このため、本実施の形態に係る面発光モジュール１Ｃは、実施の形態１に係る面発光モジュール１とほぼ同様の効果が得られる。また、遮光機能または減光機能を有する配線基板３０と、電極部２１，２２とが互いに向き合うように設けられることにより、配線基板３０と電極部２１，２２との電気的接続が容易になる。
【００５９】
なお、本実施の形態においては、面発光モジュール１Ｃが、意匠シートを備えない場合を例示して説明したが、これに限定されず、実施の形態２または３に係る意匠シートを備えていてもよい。また、面発光モジュール１Ｃが複数の面発光光源を含むように構成されていてもよい。
【００６０】
なお、本実施の形態においては、第１電極が、基板上に設けられた陽極１４Ｃであり、第２電極が有機発光層上に設けられた陰極１６Ｃである場合を例示して説明したが、これに限定されず、第１電極が、基板上に設けられた陰極であり、第２電極が有機発光層上に設けられた陰極であってもよい。この場合には、第１電極としての陰極は、光反射性を有する導電性部材がこのましく、第２電極としての陽極は、透光性を有する導電性部材が好ましい。
【００６１】
（配線基板に設けられる開口部の形状）
図９は、配線基板に設けられる開口部のその他の形状（Ａ）〜（Ｃ）を示す概略平面図である。図９を参照して、配線基板に設けられる開口部のその他の形状（Ａ）〜（Ｃ）について説明する。
【００６２】
上述した実施の形態１から４にあっては、開口部３１は、配線基板３０の主表面の法線方向から見た場合に、矩形形状を有する場合を例示して説明したが、これに限定されず、円形状（図９（Ａ）参照）、六角形（図９（Ｂ）参照）等の多角形状、星型形状（図９（Ｃ）参照）等の幾何学的な形状を有していてもよいし、動植物といった自然物や、各種の物品等の人工物等の任意の意匠を表現した形状、または、当該任意の意匠の一部を表現した形状等を有していてもよい。すなわち、開口部３１は、所望の形状に設けられる。
【００６３】
（面発光光源のその他の例）
上述した実施の形態１から４にあっては、面発光光源が有機ＥＬ素子によって構成される場合を例示して説明したが、これに限定されず、複数の発光ダイオード（ＬＥＤ）と拡散板とから構成されていてもよいし、冷陰極管等を用いて構成されていてもよい。
【００６４】
以上、本発明の実施の形態について説明したが、今回開示された実施の形態はすべての点で例示であって制限的なものではない。本発明の範囲は請求の範囲によって示され、請求の範囲と均等の意味および範囲内でのすべての変更が含まれる。
【符号の説明】
【００６５】
１，１Ａ，１Ｂ，１Ｃ  面発光モジュール、２  積層体、１０，１０Ａ，１０Ｂ  面発光光源、１１，１１Ｃ  透明基板、１２  発光面、１２Ｃ  背面、１３  主面、１４，１４Ｃ  陽極、１５  有機発光層、１６，１６Ｃ  陰極、１７  封止部材、１８  絶縁層、１９  背面、１９Ｃ  発光面、２１，２２  電極部、２３  配線、３０  配線基板、３１，３１Ａ，３１Ｂ  開口部、４０  意匠シート、１００  面発光モジュール、１１０  基板、１２０  発光部、１３０  配線基板、１４０  遮光部材、１４１  開口部、１５０  面発光光源、１６０  配線。
【図１】
0005983894.tif 000002
【図２】
0005983894.tif 000003
【図３】
0005983894.tif 000004
【図４】
0005983894.tif 000005
【図５】
0005983894.tif 000006
【図６】
0005983894.tif 000007
【図７】
0005983894.tif 000008
【図８】
0005983894.tif 000009
【図９】
0005983894.tif 000010
【図１０】
0005983894.tif 000011